(57)【要約】【課題】足腰の弱い人が階段を上り下りするのを補助するための安価で持ち運びができる階段昇降補助具を提供することを目的とするものである。【解決手段】椅子１２を階段５０の隣り合う上下の２つの段５０ｂ，５０ｃの上に載せる大きさとする。一方の段５０ｂの上に椅子１２を接触させ、他方の段５０ｃの上に椅子２８に取付けられる高さ調整手段トしての脚部４２を接触させる。椅子２６の上に回転自在なターンテーブル１６を備える。ターンテーブル１６の上に人が腰掛けて、足を上げてターンテーブル１６を回転させれば、１つ上の段か１つ下の段に足を載せることができる。【選択図】図１
2005342077.tif 000002
【特許請求の範囲】
【請求項１】
階段の隣り合う上下の２つの段の上に跨る大きさの椅子と、その椅子の上に回転自在に載せられるターンテーブルと、前記椅子に取付けられる高さ調整手段とを有し、使用時に階段の一方の段の上に前記椅子を接触させると共に階段の他方の段の上に前記高さ調整手段を接触させることを特徴とする階段昇降補助具。
【請求項２】
前記高さ調整手段が、前記椅子に対して上下方向に着脱自在に高さを変位できる棒部材であることを特徴とする請求項１記載の階段昇降補助具。
【請求項３】
前記高さ調整手段が、前記椅子に対して上下方向に着脱自在に高さを変位できる棒部材と、階段に接触するものであって前記棒部材の下端に回転自在に螺合されてその棒部材に対して上下方向に高さを変位できる脚部であることを特徴とする請求項１記載の階段昇降補助具。
【請求項４】
前記高さ調整手段が、前記椅子に回転自在に螺合されてその椅子に対して上下方向に高さを変位できる脚部であることを特徴とする請求項１記載の階段昇降補助具。
【請求項５】
前記脚部が貫通雌螺子を有し、その雌螺子に雄螺子を螺合させ、その雄螺子に内部に雌螺子を形成した他の脚部を螺合させることを特徴とする請求項４記載の階段昇降補助具。
【請求項６】
前記椅子の内部に収納手段を備えることを特徴とする請求項１記載の階段昇降補助具。
【請求項７】
前記ターンテーブルを含む前記椅子の上面を覆う蓋を着脱自在に取付けることを特徴とする請求項１記載の階段昇降補助具。
【発明の詳細な説明】
【技術分野】
【０００１】
本発明は足腰の弱い人が階段を上り下りすることを容易にするための階段昇降補助具に関する。
【背景技術】
【０００２】
エスカレータが設置されていない階段の上り下りには、足腰の弱い人にとっては身体的に苦痛を感じたり時間がかかったりするものである。このため、足腰の弱い人が容易に階段を上り下りできるようにするために、従来から各種の階段昇降装置が提案されている。特許文献１には、階段の各段に設置するものであって人が乗るための昇降台と、階段の各段に設置するものであって昇降台を昇降させる昇降駆動手段と、その昇降駆動手段を上昇並びに下降させるためのスイッチとから成る昇降装置が提案されている。この特許文献１で階段を上る場合には、昇降台の上に人が乗って上昇スイッチを押す。これによって昇降駆動手段が作動して昇降台を階段の１段分だけ上昇させる。その上昇した位置で次の昇降台に乗り換え、次の上昇スイッチを押して次の昇降駆動手段を作動させて昇降台を１段分上昇させる。この動作を順次繰り返すことで、階段を上ることができる。階段を下る場合には、この反対の動作を繰り返すことによって階段を下りることができる。
【０００３】
【特許文献１】特許第３１４１２９１号（第３−５頁、図１，３，４，６）
【発明の開示】
【発明が解決しようとする課題】
【０００４】
特許文献１では、階段の各段に昇降台とその昇降台を昇降させる昇降駆動手段を備えるものである。このため、大掛かりな装置となりしかもコストが高くなるので、家庭の階段には採用することはできないものである。また、油圧シリンダ等の昇降駆動手段を使用しているため、重さが重く、持ち運ぶことができないものである。
【０００５】
本発明は上記の点に鑑みてなされたもので、足腰の弱い人が階段を上り下りするのを補助するための安価で持ち運びができる階段昇降補助具を提供することを目的とするものである。
【課題を解決するための手段】
【０００６】
本発明に係る階段昇降補助具は、階段の隣り合う上下の２つの段の上に跨る大きさの椅子と、その椅子の上に回転自在に載せられるターンテーブルと、前記椅子に取付けられる高さ調整手段とを有し、使用時に階段の一方の段の上に前記椅子を接触させると共に階段の他方の段の上に前記高さ調整手段を接触させるようにしたものである。本発明は、前記高さ調整手段が、前記椅子に対して上下方向に高さを着脱自在に変位できる棒部材としたものである。本発明は、前記高さ調整手段が、前記椅子に対して上下方向に高さを着脱自在に変位できる棒部材と、階段に接触するものであって前記棒部材の下端に回転自在に螺合されてその棒部材に対して上下方向に高さを変位できる脚部としたものである。本発明は、前記高さ調整手段が、前記椅子に回転自在に螺合されてその椅子に対して上下方向に高さを変位できる脚部としたものである。本発明は、前記脚部が貫通雌螺子を有し、その雌螺子に雄螺子を螺合させ、その雄螺子に内部に雌螺子を形成した他の脚部を螺合させるようにしたものである。本発明は、前記椅子の内部に収納手段を備えるようにしたものである。本発明は、前記ターンテーブルを含む前記椅子の上面を覆う蓋を着脱自在に取付けるようにしたものである。
【発明の効果】
【０００７】
本発明の階段昇降補助具は、椅子の上のターンテーブルに人が座って回転するだけで、人の足を階段の次の段に移動させることができるものである。このため、駆動手段を用いなくて済むので、安価で持ち運びができる軽量なものとすることができる。また、本発明は１つの階段昇降補助具で階段の昇降が可能で、手軽に外出先にも持って行くことができるものである。本発明は、階段の隣り合う上下の２つの段の上に椅子を載せるものであり、一方の段に接触する高さ調整手段を椅子に取付けることで、階段の高さが異なる各種の階段にも適用することができる。
【発明を実施するための最良の形態】
【０００８】
次に本発明を図面に基づいて説明する。
図１は本発明に係る階段昇降補助具を上方から見た斜視図、図２は本発明に係る階段昇降補助具を下方から見た斜視図、図３は本発明に係る階段昇降補助具を階段に載せた状態を示す側面図である。本発明に係る階段昇降補助具１０は主に、階段の隣り合う上段と下段の両方の段に跨る大きさで両方の段の上に載せられる椅子１２と、椅子１２の上面１４に回転自在に取付けられるターンテーブル１６と、椅子１２に取付けられる高さ調整手段（後述する）とから成る。
【０００９】
図１乃至図３に示すように、椅子１２は側面から見て幅の広いＬ字形の形状をしている。椅子１２の上面１４は、隣り合う上段と下段の両方の段に跨る大きさをしている。椅子１２は、上面１４から相対的に遠い第一下面２０と、上面１４に相対的に近い第二下面２２とを有する。椅子１２の上面１４に備えられるターンテーブル１６はその上に人が腰掛けるものであり、ターンテーブル１６の大きさは上面１４の大半の面積を占める大きさに設定されている。ターンテーブル１６を回転自在に椅子１２に取付ける構造は従来既知であるので、ここではその説明を省略する。
【００１０】
椅子１２の背面の左右には、第一高さ調整手段としての角柱状の棒部材２４が固定手段（後述する）によって着脱自在に取付けられる。棒部材２４には多数の貫通穴２６が設けられている。多数の貫通穴２６は例えば１ｃｍや２ｃｍ間隔とする。椅子１２の背面の左右には上下方向に伸びる腕部２８（図２、図４）が備えられており、その腕部２８には貫通穴３０（図４）が２個形成されている。腕部２８に形成した２個の各貫通穴３０に、図４に示すように、棒部材２４に設けた多数の貫通穴２６の１つずつを合致させ、腕部２８側から固定手段としてのボルト３２を腕部２８の貫通穴３０と棒部材２４の貫通穴２６に挿通させ、ボルト３２の先端を固定手段としてのナット３４で螺合させる。これによって、椅子１２の背面に棒部材２４が固定される。椅子１２に対する棒部材２４の高さを調整する場合は、先ず固定手段３２，３４を外して腕部２８と棒部材２４との固定を解除し、次に腕部２８の貫通穴３０に棒部材２４の異なる位置の貫通穴２６を合致させて、固定手段３２，３４で腕部２８と棒部材２４とを固定する。これによって、椅子１２に対する棒部材２４の高さを調整することができる。第一高さ調整手段としての棒部材２４は、椅子１２に対するその高さを大幅に調整するためのものである。
【００１１】
２本の棒部材２４の上端付近同士を連結棒３６で連結する。この連結棒３６は、階段昇降補助具１０を持ち運ぶ際に使用するための取っ手として利用することができる。なお、２本の棒部材２４を椅子１２の背面に取付けた場合には、連結棒３６は背もたれとして利用できる。図１に示すように、椅子１０の内部に引き出し等の収納手段３８を備えるようにしても良い。
【００１２】
図４に示すように、第一高さ調整手段としての角柱状の棒部材２４の下側に雄螺子４０が固定され、この雄螺子４０は棒部材２４の下端より下方に突出した状態に設定されている。この雄螺子４０に、第二高さ調整手段である脚部４２を取付ける。脚部４２は、前記雄螺子４０と螺合するための雌螺子４４を形成した円筒状のものであり、後述する階段にその下面４６を接触させるためのものである。雄螺子４０に脚部４２の雌螺子４４を螺合させることで、脚部４２は棒部材２４に取付けられる。また、脚部４２を棒部材２４に対していずれかの方向に回転させることで、椅子１２の第二下面２２に対する脚部４２の下面４６の高さＨ（図３）を調節することができる。この第二高さ調整手段としての脚部４２は、短い高さを調整するためのものである。第二高さ調整手段である脚部４２は、棒部材２４に固定される雄螺子４０に螺合される雌螺子４４を形成した円筒状の部材に限るものではない。
【００１３】
図３に示される第一下面２０の横幅Ｘ１も第二下面２２の横幅と棒部材との幅の合計Ｘ２も、階段５０の各段の幅Ｂと同一かそれより狭くなるように設定する。椅子１２の第一下面２０は、図３に示すように、椅子１２を載せる階段５０の相対的に低い段５０ｂに接触するためのものである。椅子１２の背面に取付けた棒部材２４（第一高さ調整手段）の下端に取付けた脚部４２（第二高さ調整手段）の下面４６が、階段５０の相対的に高い段５０ｃ（相対的に低い段の１段上の段）に接触する。
【００１４】
次に、本発明の使用方法を図３，図５及び図６に基づいて説明する。ここでは、人が階段５０を上る例について説明する。先ず、図３に示すように、階段昇降補助具１０の椅子１２を、階段５０の相対的に隣り合う相対的に下の段５０ｂと相対的に上の段５０ｃとの両方の段５０ｂ，５０ｃの上に載せる。即ち、椅子１２の第一下面２０を段５０ｂの上に載せ、椅子１２の第二下面２２に取付けた脚部４２の下面４６を段５０ｃの上に載せる。これに先だって、階段５０の各段の高さが階段の種類によって異なるものであるので、第一高さ調整手段である棒部材２４の椅子１２に対する大幅な高さと、その棒部材２４に対する第二高さ調整手段である脚部４２の小幅な高さを調整する。棒部材２４の椅子１２に対する高さと、棒部材２４に対する脚部４２の高さの調整は、椅子１２の第一下面２０を１段目２８ｂの上に接触させた時に、脚部４２の下面を２段目５０ｃの上に必ず接触させることと、椅子１２の上面１４に載せられるターンテーブル１４の角度を、使用者の好みによって水平にしたりやや前方に傾斜させたりするためである。
【００１５】
図３に示すように、階段昇降補助具１０を隣り合う高さの段５０ｂと段５０ｃとの両方の段に跨ってそれらの上に載せた後、階段５０を上る人は、段５０ｂよりもう１段低い段５０ａに立ち、階段昇降補助具１０を背にして、階段昇降補助具１０のターンテーブル１４の上に腰を掛ける（図３，図５）。ターンテーブル１４の上に腰掛けた後、足を段５０ａから離して次の段５０ｂよりやや高い高さまで持ち上げ、その足を持ち上げた状態でターンテーブル１４をどちらかの方向に回転させる。ターンテーブル１４と共に人も回転する（図６）。
【００１６】
足が段５０ｂの上まで回転した時に、ターンテーブル１４の回転を停止し、足を段５０ｂの上に置く。その後、人は階段昇降補助具１０から腰を浮かせて段５０ｂの上に立つ。その後、階段昇降補助具１０を持ち上げて次の上方の段（段５０ｃと段５０ｄ）の上に載せる。その後、人は階段昇降補助具１０を背にして、階段昇降補助具１０のターンテーブル１４の上に腰を掛ける。ターンテーブル１４の上に腰を掛けた後、足を持ち上げて椅子１２に対してターンテーブル１４と共に体を回転させ、足が段５０ｃの上に移動した時点でターンテーブル１４の回転を停止し、人は階段昇降補助具１０から腰を浮かせて段５０ｃの上に立つ。このような動作を順に行うことで、人は前に立っていた段から次の段に移動することができ、階段昇降補助具１０を使いながら階段５０を上ることができる。なお、この反対の動作を行えば、階段５０を下ることができる。
【００１７】
以上のように本発明では、足腰が弱っていても椅子に腰掛けたり椅子から立ちあがったりできる人であれば、本発明に係る階段昇降補助具１０を利用して、階段を自分で上り下りすることができる。なお、階段を上り下りする際に介護者が付いている場合には、本発明に係る階段昇降補助具１０を利用すれば、介護者は被介護者の椅子への座りと立ち上げと階段昇降補助具１０の次の段への移動だけの作業で良く、補助者や介護者に負担がかからない。また、本発明に係る階段昇降補助具１０は駆動手段を備えていないので、従来の駆動手段を備えているものと比べて、安価で軽量なものとなる。階段昇降補助具１０は、１個で全ての種類の階段に適用でき、軽量であるのでどこへでも持ち運んで使用することができる。
【００１８】
なお、前述の説明では、椅子１２の第一下面２０が階段５０の隣り合う相対的に低い段５０ｂに接触し、椅子１２に取付けた脚部４２（第二高さ調整手段）が階段５０の隣り合う相対的に高い段５０ｃに接触するようにしたが、椅子１２の第二下面２２を階段５０の隣り合う相対的に高い段５０ｃに接触し、椅子１２に取付けた脚部４２（第二高さ調整手段）が階段５０の隣り合う相対的に低い段５０ｂに接触するようにしても良い。更に、前述の説明では、棒部材２４（第一高さ調整手段）に取付ける脚部４２（第二高さ調整手段）を階段５０に接触させると説明したが、脚部４２（第二高さ調整手段）を用いないで、棒部材２４の下端を階段５０に直接接触させるようにしても良い。
【００１９】
前述の説明では、椅子１２に取付ける高さ調整手段を、棒部材２４（第一高さ調整手段）とそれに取付ける脚部４２（第二高さ調整手段）とから構成したが、図７に示すように、棒部材２４（第一高さ調整手段）を省略して、脚部４２（第二高さ調整手段）のみで、高さを調整するようにしても良い。脚部４２のみでの高さを調整する場合には、大幅な高さの調節はできないおそれがあるので、それを解消するために、図８に示すように、脚部４２に他の脚部５２を取付けることも可能である。この場合には、脚部４２の雌螺子４４を貫通状態とし、脚部５２にも貫通する雌螺子５４を形成し、脚部４２の雌螺子４４に雄螺子５６を螺合し、その雄螺子５６に脚部５２の雌螺子５４を螺合させる。このように、複数の脚部５２を複数の雄螺子５６を介して順次連結することで、大幅な高さの調整が可能となる。また、小幅は高さの調整は、脚部４２と脚部５２とを回転することによって行うことができる。
【００２０】
図９に示すように、椅子１２の上面１４に嵌合する蓋５８を椅子１２の上面１４並びにターンテーブル１４の上に被せる。これによって、例えば、階段の上方の電球交換等の作業を行う場合には、階段昇降補助具１０の蓋５８の上に載って電球を交換等の作業を行うことが可能となり、階段昇降補助具１０を作業台として利用することができる。
【図面の簡単な説明】
【００２１】
【図１】本発明に係る階段昇降補助具を上方から見た斜視図である。
【図２】本発明に係る階段昇降補助具を下方から見た斜視図である。
【図３】本発明に係る階段昇降補助具を階段に載せた状態を示す側面図である。
【図４】本発明に使用する高さ調整手段の一例を示す断面図である。
【図５】本発明に係る階段昇降補助具を使用する状態を示すもので、図３の状態を示す平面図である。
【図６】図３の状態から次の段に移動した状態を示す平面図である。
【図７】本発明に係る階段昇降補助具の他の例を下方から見た斜視図である。
【図８】図７に使用する高さ調整手段の他の例を示す断面図である。
【図９】本発明に係る階段昇降補助具の上に蓋を被せた状態を示す斜視図である。
【符号の説明】
【００２２】
１０  階段昇降補助具
１２  椅子
１６  ターンテーブル
２０  第一下面
２２  第二下面
２４  棒部材
３２  ボルト
３４  ナット
３８  収納手段
４０  雄螺子
４２  脚部
４４  雌螺子
５０  階段
５２  脚部
５４  雌螺子
５６  雄螺子
５８  蓋
【図１】
2005342077.tif 000003
【図２】
2005342077.tif 000004
【図３】
2005342077.tif 000005
【図４】
2005342077.tif 000006
【図５】
2005342077.tif 000007
【図６】
2005342077.tif 000008
【図７】
2005342077.tif 000009
【図８】
2005342077.tif 000010
【図９】
2005342077.tif 000011